(57)【要約】【課題】  パッドが実質的にセルロースを含まず、かつ液体の量および液体の流れに関係なく吸収性能が最適化された、吸収性衛生用品を提案する。【解決手段】  吸収性衛生用品は、浸透性内側層と、非浸透性外側層と、浸透性内側層と非浸透性外側層との間に配置された吸収性パッドとを備え、パッドは、第１の不織布層と、第１の不織布層に部分的に接合された第２の不織布層と、第１の不織布層と第２の不織布層との間に配置された吸収性コアと、吸収性パッドにおいて複数のセルを規定する、第１の不織布層と第２の不織布層との間の複数のシールとを備え、吸収性コアは複数のセルに分割された第１の吸収性材料および第２の吸収性材料を備え、複数のセルは、第１の吸収性材料とともに第２の吸収性材料を含む少なくとも１つの第１のセルを備える。【選択図】図２
2016515459.tif 000002
【特許請求の範囲】
【請求項１】
主長手方向（Ｄ）に沿って延び、前方ゾーン（２）、中央ゾーン（３）、および後方ゾーン（４）を有する吸収性衛生用品であって、
浸透性内側層（５）と、
非浸透性外側層（６）と、
前記浸透性内側層（５）と前記非浸透性外側層（６）との間に配置された吸収性パッド（７）とを備え、
前記吸収性パッド（７）は、
第１の不織布層（ＮＷ１）と、
前記第１の不織布層（ＮＷ１）に部分的に接合された第２の不織布層（ＮＷ２）と、
前記第１の不織布層（ＮＷ１）と前記第２の不織布層（ＮＷ２）との間に配置され、第１の吸収性材料（ＳＡＰ１）を備える吸収性コア（９）とを備え、
前記吸収性パッド（７）は、
前記吸収性パッド（７）において複数のセル（１１、１２）を規定する、前記第１の不織布層（ＮＷ１）と前記第２の不織布層（ＮＷ２）との間の複数のシール（１０）を備え、
前記第１の吸収性材料（ＳＡＰ１）は、前記複数のセル（１１、１２）に分割され、
前記吸収性衛生用品は、
前記吸収性コア（９）が第２の吸収性材料（ＳＡＰ２）を備え、
前記複数のセル（１１、１２）は、前記第２の吸収性材料（ＳＡＰ２）を含む少なくとも１つの第１のセル（１２）を備えることを特徴とする、吸収性衛生用品。
【請求項２】
前記第１のセル（１２）は、前記第１の吸収性材料（ＳＡＰ１）とともに前記第２の吸収性材料（ＳＡＰ２）を含むことを特徴とする、請求項１に記載の吸収性衛生用品。
【請求項３】
前記吸収性パッド（７）は、前記吸収性衛生用品のより前記前方ゾーン（２）側に置かれた複数の前記第１のセル（１２）を備えることを特徴とする、請求項１または２に記載の吸収性衛生用品。
【請求項４】
前記吸収性パッド（７）における複数の前記第１のセル（１２）は、横断中間部に対してずれていることを特徴とする、請求項１乃至３のいずれかに記載の吸収性衛生用品。
【請求項５】
前記第２の吸収性材料（ＳＡＰ２）は、前記第１の吸収性材料（ＳＡＰ２）と異なることを特徴とする、請求項１乃至４のいずれかに記載の吸収性衛生用品。
【請求項６】
前記第２の吸収性材料（ＳＡＰ２）は、前記第１の吸収性材料（ＳＡＰ１）よりも液体に対する反応時間が長いことを特徴とする、請求項５に記載の吸収性衛生用品。
【請求項７】
前記１つの第１のセル（１２）は、同量の前記第１の吸収性材料（ＳＡＰ１）と前記第２の吸収性材料（ＳＡＰ２）とを備えることを特徴とする、請求項１乃至６のいずれかに記載の吸収性衛生用品。
【請求項８】
前記吸収性パッド（７）は、前記第１の不織布層（ＮＷ１）と、前記第１および前記第２の吸収性材料（ＳＡＰ、ＳＡＰ２）との間に接着層（１３）を備えることを特徴とする、請求項１乃至７のいずれかに記載の吸収性衛生用品。
【請求項９】
前記吸収性パッド（７）は、
外周部（８）を有し、
少なくとも前記第１および前記第２の不織布層（ＮＷ１、ＮＷ２）を接合する周辺部のシール（１０ａ）であって、少なくとも部分的に前記外周部（８）に沿って延びる周辺部のシール（１０ａ）を備えることを特徴とする、請求項１乃至８のいずれかに記載の吸収性衛生用品。
【請求項１０】
吸収性衛生用品（１）の製造用機械であって、
前記非浸透性外側層（６）を規定する非浸透性材料の少なくとも１つの連続状ウェブを給送するためのラインと、
前記浸透性内側層（５）を規定する浸透性材料の少なくとも１つの連続状ウェブを給送するためのラインと、
前記吸収性パッド（７）の連続体を形成して前記吸収性パッド（７）を作成し、非浸透性材料の前記連続状ウェブに結合するための、少なくとも１つの形成ユニット（１００）とを備え、
前記形成ユニット（１００）は、
前記第１の不織布層（ＮＷ１）を規定する経路（Ｐ）に沿って給送方向（Ｖ）に不織布の第１のウェブ（１０１）を給送するシステムと、
前記第２の不織布層（ＮＷ２）を規定する前記不織布層の第１のウェブ（１０１）上に不織布の第２のウェブ（１０４）を載置する載置ステーション（１０３）と、
前記不織布の第２のウェブ（１０４）を前記不織布の第１のウェブ（１０１）にシールするシールステーション（１０６）と、
前記不織布の第１のウェブ（１０１）上に前記第１の吸収性材料（ＳＡＰ１）を配置し、前記給送方向（Ｖ）に対して前記第１の載置ステーション（１０３）より上流に動作可能に配置された第１の配置ステーション（１０９）とを備え、
前記第１の配置ステーション（１０３）より下流で前記シールステーション（１０６）より上流に配置され、かつ前記第２の吸収性材料（ＳＡＰ２）を配置する第２の配置ステーション（１１２）を、前記形成ユニット（１００）が備えることを特徴とする、請求項１乃至９のいずれかに記載の吸収性衛生用品（１）の製造用機械。
【請求項１１】
前記形成ユニット（１００）は、前記給送システムにおいて動作して前記不織布の第１のウェブ（１０１）上に前記接着層（１３）を塗布する、接着剤ディスペンサ（１１５）を備えることを特徴とする、請求項１０に記載の吸収性衛生用品の製造用機械。
【請求項１２】
前記給送システムは、少なくとも前記不織布の第１のウェブ（１０１）を押さえ付けて給送する吸引ローラ（１０２）を備えることを特徴とする、請求項１０または１１に記載の吸収性衛生用品の製造用機械。
【請求項１３】
前記第１の配置ステーション（１０９）および前記第２の配置ステーション（１１２）は、前記吸引ローラ（１０２）に実質的に正接する第１の配置ローラ（１１０）および前記吸引ローラ（１０２）に実質的に正接する第２の配置ローラ（１１３）をそれぞれ備え、
前記第１の配置ローラ（１１０）はその円筒状の外面に複数の第１のポケット（１１１）を有し、前記第１のポケット（１１１）の各々は前記経路（Ｐ）に沿って前記第１の吸収性材料（ＳＡＰ１）の一部を給送および載置し、
前記複数の第１のポケット（１１１）は、前記吸収性パッド（７）における前記複数のセル（１１）の位置に従って、前記第１の配置ローラ（１１０）の外面に配置され、
前記第２の配置ローラ（１１３）はその円筒状の外面に複数の第２のポケット（１１４）を有し、前記第２のポケット（１１４）の各々は前記経路（Ｐ）に沿って前記第２の吸収性材料（ＳＡＰ２）の一部を給送および載置し、
前記複数の第２のポケット（１１４）は、前記吸収性パッド（７）における複数の前記第１のセル（１２）の位置に従って、前記第２の配置ローラ（１１３）の外面に配置されることを特徴とする、請求項１２に記載の吸収性衛生用品の製造用機械。
【発明の詳細な説明】
【技術分野】
【０００１】
本発明は、乳児用オムツなどの吸収性衛生用品、およびこの種の用品の製造用機械に関する。簡略のため、本明細書ではオムツについて言及するが、これによって本発明の範囲を限定するものではない。
【背景技術】
【０００２】
周知のように、オムツは、不織布の浸透性内側層とポリエチレンの非浸透性外側層との間で通常包まれた吸収性パッドまたは詰め物を備える。周知の種類の吸収性パッドは吸収性コアを備える。この吸収性コアは、例えば、封じ込めセルロースパルプ（フラッフ）と吸収性材料結合剤との混合物内部の高吸収性ポリマー材（ＳＡＰ）の細粒などから成り、不織布の２つの層の間に挟まれる。吸収した液体の排液性を高めると同時に生産コストを低減するために、粒状の高吸収性材料をより多くしてセルロースパルプをより少なくした吸収性コア、および更にはまったくセルロースを含まない吸収性コアを製造者は選択している。高吸収性ポリマー材からなり、実質的にセルロースを含まない吸収性コアを備える吸収性パッドの一例が、欧州特許出願公開第２４４４０４６号明細書に述べられている。
【０００３】
この先行技術文献に述べられている詰め物は、第１の不織布層と、第２の不織布層と、これらの２つの不織布層で包まれたセルロースを含まない吸収性材料とを備える。２つの不織布層は、適切に作製されたシールによって複数のセルが形成されるように接合される。該セルは、全セル内で均質に配分された吸収性材料を含む。実施形態において、セルを分離するシールは連続的であるので、特に製品が未使用で新しく、高吸収性材料が乾燥しているときは、吸収性材料をより良好に含み位置する。
【０００４】
第２の実施形態において、シールは、液体の拡散を促進して吸収性材料による液体の吸収を最適化するように内部に適切な切れ目を有する。一般的に、シールには液体がオムツ内に広がるのに好ましい間隙を設ける。しかし、液体の量および液体が広がる速度により、吸収性材料は不均質で最適でない態様で膨張する可能性がある。膨張によってパッド内での吸収性材料の最適化された配分を変化させ、オムツ自体の効果を低下させている。
【先行技術文献】
【特許文献】
【０００５】
【特許文献１】欧州特許出願公開第２４４４０４６号明細書
【発明の概要】
【発明が解決しようとする課題】
【０００６】
このような状況において、本発明の技術的な目的は、上述の短所が無い吸収性衛生用品を提案することである。本発明の目標は、パッドが実質的にセルロースを含まず、かつ液体の量および液体の流れに関係なく吸収性能が最適化された、吸収性衛生用品を提案することである。特定される技術的目的および目標は、請求項１に記載の吸収性衛生用品および、請求項１０に記載した該吸収性衛生用品の製造用機械によって実質的に達成される。
【課題を解決するための手段】
【０００７】
主長手方向（Ｄ）に沿って延び、前方ゾーン（２）、中央ゾーン（３）、および後方ゾーン（４）を有する吸収性衛生用品であって、
浸透性内側層（５）と、
非浸透性外側層（６）と、
前記浸透性内側層（５）と前記非浸透性外側層（６）との間に配置された吸収性パッド（７）とを備え、
前記吸収性パッド（７）は、
第１の不織布層（ＮＷ１）と、
前記第１の不織布層（ＮＷ１）に部分的に接合された第２の不織布層（ＮＷ２）と、
前記第１の不織布層（ＮＷ１）と前記第２の不織布層（ＮＷ２）との間に配置され、第１の吸収性材料（ＳＡＰ１）を備える吸収性コア（９）とを備え、
前記吸収性パッド（７）は、
前記吸収性パッド（７）において複数のセル（１１、１２）を規定する、前記第１の不織布層（ＮＷ１）と前記第２の不織布層（ＮＷ２）との間の複数のシール（１０）を備え、
前記第１の吸収性材料（ＳＡＰ１）は、前記複数のセル（１１、１２）に分割され、
前記吸収性衛生用品は、
前記吸収性コア（９）が第２の吸収性材料（ＳＡＰ２）を備え、
前記複数のセル（１１、１２）は、前記第２の吸収性材料（ＳＡＰ２）を含む少なくとも１つの第１のセル（１２）を備えることを特徴とする。
【図面の簡単な説明】
【０００８】
本発明のさらなる特徴および長所が、以下の図面に示すように、吸収性衛生用品およびこの吸収性衛生用品の製造用機械の好ましいが排他的でない実施形態を参照する以下の説明からより明らかになる。
【図１】一部を切り取ってよりわかりやすくした、本発明による吸収性衛生用品を示す概略平面図である。
【図２】図１の用品の概略断面図である。
【図３】一部を切り取ってよりわかりやすくした、上の図面の吸収性用品の製造用機械を示す概略正面図である。
【発明を実施するための形態】
【０００９】
図１および図２を参照すると、１は本発明による吸収性衛生用品を指しており、その一部のみが示されている。本発明による吸収性衛生用品は、例として乳児用オムツを以下に明示的に言及するが、これによって本発明の範囲を限定するものではなく、生理用ナプキン等も含む。吸収性衛生用品１は主長手方向Ｄに沿って延び、前方ゾーン２、中央ゾーン３、および後方ゾーン４を有する。好ましい実施形態において、広がりは主に長手方向の広がりであり、この用品１の前方ゾーンと後方ゾーンとの間の測定長さである。好ましくは、前方ゾーン２の長さは主方向Ｄに沿って測定され、この長さは同じ主方向Ｄに沿って測定される後方ゾーン４よりも短い。
【００１０】
吸収性衛生用品１は、液体に対して浸透性を有する浸透性内側層５と、液体に対して浸透性が無い非浸透性外側層６とを備える。浸透性内側層５は「上面シート」としても知られ、好ましくは１枚の不織布である。非浸透性外側層６は「裏面シート」としても知られ、好ましくは１枚のポリエチレンのシートである。上面シートおよび裏面シートは、周知の態様で接合されて、吸収性衛生用品１の外側部分となる。吸収性衛生用品１は、浸透性内側層２と非浸透性外側層３との間に配置され、外周部８によって範囲が定められる吸収性パッド７を備える。
吸収性衛生用品１の長手方向の広がりを考慮すると、吸収性パッド７は用品の中央ゾーン３に配置される。実際には、吸収性パッド７は中央ゾーンを規定し、前方ゾーン２および後方ゾーン４の範囲を定める。吸収性パッド７は、第１の不織布層ＮＷ１と、少なくとも部分的にこの第１の不織布層と接合された第２の不織布層ＮＷ２とを備える。これらについては以下でさらに詳細に説明する。吸収性パッド７は、第１の不織布層ＮＷ１と第２の不織布層ＮＷ２との間に配置されるコア９を備える。
【００１１】
吸収性パッド７は、不織布層ＮＷ１と不織布層ＮＷ２との間に複数のシール１０を有する。シール１０は、コア９を有するために複数のセル１１を吸収性パッド７において規定し、このコア９が実際には複数のセル１１に分割される。実施形態において、シール１０は周辺部のシール１０ａを備え、この周辺部シール１０ａは少なくとも部分的に吸収性パッド７の外周部８の周囲まで延びる。図示しない実施形態において、コア９は、好ましくはポリマーである第１の吸収性材料ＳＡＰ１を備え、第１の吸収性材料ＳＡＰ１は幾つかのセル１１内に配置される。本明細書において第１の吸収性材料ＳＡＰ１を明示的に言及するが、これは本発明を限定するものではない。コア９は、好ましくはポリマーである第２の吸収性材料ＳＡＰ２を備え、第２の吸収性材料ＳＡＰ２は他のセル１２内に配置される。本明細書において第２の吸収性材料ＳＡＰ２を明示的に言及するが、これは本発明を限定するものではない。
【００１２】
したがって、吸収性パッド７は、第１の吸収性材料ＳＡＰ１を含むセル１１と、第２の吸収性ポリマー材料ＳＡＰ２を含むセル１２とを備える。図示する好ましい実施形態において、コア９は好ましくはポリマーである第１の吸収性材料ＳＡＰ１を備える。本明細書において第１の吸収性材料ＳＡＰ１について明示的に言及するが、これは本発明を限定するものではない。第１の吸収性材料ＳＡＰ１は複数のセル１１に分割され、換言すると、各セル１１は一定量の第１の吸収性ポリマー材料ＳＡＰ１を含んでいる。
【００１３】
コア９は好ましくはポリマーである第２の吸収性材料ＳＡＰ２を備える。本明細書において第２の吸収性材料ＳＡＰ２について明示的に言及するが、これは本発明を限定するものではない。第２の吸収性材料ＳＡＰ２は複数のセル１１に分割される。好ましくは、吸収性パッド７は、吸収性ポリマー材料ＳＡＰ１とともに第２の吸収性ポリマー材料ＳＡＰ２を含む複数のセル１２を有する。吸収性パッド７はセル１１と、幾つかのセル１２とに分割され、セル１２は第１および第２の吸収性ポリマー材料ＳＡＰ１およびＳＡＰ２の両方を含む。実施形態において、第１の吸収性ポリマー材料ＳＡＰ１および第２の吸収性ポリマー材料ＳＡＰ２は同じ吸収性ポリマー材料であり、この場合セル１２の吸収性ポリマー材料の量は他方のセル１１より多い。
【００１４】
有利なことに、吸収性ポリマー材料をより多く含むセル１２は、これよりも少ない吸収性ポリマー材料を内部に有する他方のセル１１よりも高い吸収性能を有する。実施形態において、第２の吸収性ポリマー材料ＳＡＰ２は、第１の吸収性ポリマー材料と異なる。この場合、セル１２は所定量の第１の吸収性ポリマー材料および所定量の第２の吸収性ポリマー材料を含む。好ましくは、第２の吸収性ポリマー材料ＳＡＰ２の液体に対する反応時間は、第１の吸収性ポリマー材料ＳＡＰ１の液体に対する反応時間より長い。周知のように、液体に対する反応時間は高吸収性材料の特定の性質である。
【００１５】
液体に対する反応時間は、例えば、高吸収性ポリマー材の浸透性および／またはその液体保持性能および／またはその吸収性および／またはその保持力および／または高吸収性ポリマー材の圧力に対する吸収性の機能であってよい。つまり、高吸収性ポリマー材の性能は、主に、浸透係数、見かけ比重（嵩密度）、流速、遠心保持容量（ＣＲＣ）、および粒度分布（ＰＳＤ）によって実質的に周知の態様で判別される。
これらの性質は、好ましくは、Ｗｏｒｌｄｗｉｄｅ  Ｓｔｒａｔｅｇｉｃ  Ｐａｒｔｎｅｒｓ（ＷＳＰ）テスト法に従って判別および識別される。換言すれは、第１の吸収性材料ＳＡＰ１が先に液体の吸収を開始し、後のステージで第２の吸収性材料ＳＡＰ２が液体の吸収を開始する。このように、初期の吸収ステージの間、液体は第２の吸収性材料ＳＡＰ２を障害なく通り、第１の吸収性材料ＳＡＰ１に達する。第２の吸収性ポリマー材料ＳＡＰ２は、第１の吸収性材料ＳＡＰ１より後に吸収を開始するため、吸収性衛生用品１の性能がより持続されることが保証される。
【００１６】
実施形態において、セル１２は、同量の吸収性材料ＳＡＰ１および吸収性材料ＳＡＰ２を含む。有利なことに、吸収性パッド７におけるセル１２は、より前方ゾーン２側に置かれる、すなわち、セル１２は後方ゾーン４よりも前方ゾーン２により近い。吸収性パッド７において、第１のセル１２は主長手方向Ｄを横切る中間部からずれている。好ましくは、吸収力がより高いセル１２は図示しない着用者が排出する液体の流れによって最も影響されるオムツの部分に配置される。この構成によって、吸収性衛生用品１の性能を高いレベルに保ち、必要に応じて吸収性パッド７の端部で吸収性材料を節約できる。ある実施形態において、吸収性パッド７は、不織布層ＮＷ１と、吸収性ポリマー材料ＳＡＰ１およびＳＡＰ２との間に接着層１３を備える。
【００１７】
接着層１３は、主に作業機能を有する、すなわち、吸収性パッド７を形成中に吸収性材料を所定位置に保つ役割があり、このことは後に明確に述べる。図３を参照すると、２００は吸収性衛生用品１の製造用機械全体を指している。機械２００の説明は、本発明を理解するために必要な部分に限定して行う。機械２００は、非浸透性外側層６を作製するために用いられる非浸透性材料の少なくとも１つの連続状ウェブを給送する給送ラインを備え、この給送ラインは実質的に周知の種類のものであり図示していない。機械２００は形成ユニット１００を備え、形成ユニット１００は、吸収性パッド７の連続体を形成して吸収性パッド７を作製し、これらを非浸透性材料の連続状ウェブと結合される。
【００１８】
形成ユニット１００は、第１の不織布層ＮＷ１を規定する経路Ｐに沿って給送方向Ｖに不織布の第１のウェブ１０１を給送するシステムを備える。給送システムは、少なくとも不織布の第１のウェブ１０１を押さえ付けて給送して時計回りの方向に回転可能な吸引ローラ１０２を備える。後に明確に述べるように、ローラすなわちドラム１０２は吸引を利用してウェブ１０１を押さえ付け、好ましくは、ウェブ１０１上に実質的に載置される吸収性衛生用品１の他の層も押さえ付ける。形成ユニット１００は載置ステーション１０３を備え、載置ステーション１０３は不織布の第１のウェブ１０１上に不織布の第２のウェブ１０４を載置して、吸収性パッド７の第２の不織布層ＮＷ２を規定する。載置ステーション１０３は、第２のウェブ１０４を移送して吸引ローラ１０２に正接する移送ローラ１０５を備える。好ましくは、移送ローラ１０５は反時計回りの方向に回転可能である。
【００１９】
形成ユニット１００はシールステーション１０６を備え、シールステーション１０６によって吸収性パッド７のコア９上で不織布層ＮＷ１およびＮＷ２を閉じるように第２のウェブ１０４が第１のウェブ１０１に接合される。シールステーション１０６は接触ローラ１０７を備え、接触ローラ１０７は、例えば、反時計周りの方向に回転可能で吸引ローラ１０２に正接し、吸収性パッド７の給送方向Ｖに対して移送ローラ１０５より下流に位置する。接触ローラ１０７は外面に、あるパターンのシール１０、１０ａを有する。シールステーション１０６は実質的に周知の種類のソノトロード１０８を備え、ソノトロード１０８は接触ローラ１０７の外面に面してシール１０、１０ａを作製する。ソノトロード１０８は接触ローラ１０７に作用し、さらに詳細には、所定のパターンに基づいてシール１０、１０ａを作製する。
【００２０】
実施形態において、破線で示すように、移送ローラ１０５自体が接触ローラ１０７となり、その円筒状の外面に形成されたシールパターンを有する。この場合、ソノトロード１０８は移送ローラ１０５の外面に作用してシール１０を作製する。図示しない代替実施形態において、シールステーション１０６は接触ローラ１０７となる吸引ローラ１０２を備える。シール１０のパターンは吸引ローラ１０２の円筒状の外面に形成され、ソノトロード１０８は吸引ローラ１０２に作用する。好ましくは、ソノトロード１０８は一対の回転するソノトロードの形態をとる。形成ユニット１００は、不織布のウェブ１０１上に吸収性ポリマー材料ＳＡＰ１を配置する第１の配置ステーション１０９を備える。第１の配置ステーション１０９は、給送方向Ｖに沿って載置ステーション１０３より上流に動作可能に配置される。
【００２１】
第１の配置ステーション１０９は配置ローラ１１０を備え、この配置ローラ１１０は、例えば反時計回りの方向に回転可能で、吸引ローラ１０２に実質的に正接する。配置ローラ１１０はその円筒状の外面に複数のポケット１１１を備え、各ポケット１１１は第１の吸収性材料ＳＡＰ１を経路Ｐに沿ってウェブ１０１上に給送および載置する。ポケット１１１は、好ましくは、吸収性パッド７におけるセル１１の位置に応じて第１のローラの外面に配置される。形成ユニット１００は、第１の配置ステーション１０９より下流で載置ステーション１０６より上流に給送方向Ｖに沿って置かれ、第２の吸収性ポリマー材料ＳＡＰ２を配置する第２のステーション１１２を備える。図示のように、第２の配置ステーション１１２は配置ローラ１１３を備え、この配置ローラ１１３は実質的に吸引ローラ１０２に正接し、例えば、反時計回りの方向に回転可能である。
【００２２】
配置ローラ１１３はその円筒状の外面に複数のポケット１１４を備え、各ポケット１１４は第２の吸収性材料ＳＡＰ２の一部を経路Ｐに沿ってウェブ１０１上に給送および載置する。ポケット１１４は、吸収性パッド７におけるセル１２の位置に応じて配置ローラ１１３の外面に配置される。形成ユニット１００は接着剤ディスペンサ１１５を備え、この接着剤ディスペンサ１１５は、第１の配置ステーション１０９より上流のウェブ１０１に作用して、不織布のウェブ１０１に接着層１３を付着させる。機械２００は、浸透性内側層５を作製するために用いられる浸透性材料の少なくとも１つの連続状ウェブを給送および付着させるための、実質的に周知の種類の図示しないラインを備える。吸収性パッド７は、外側層６と内側層５との間に配置される。
【符号の説明】
【００２３】
１・・吸収衛生用品、２・・前方ゾーン、３・・中央ゾーン、４・・後方ゾーン、５・・浸透性内側層、６・・非浸透性外側層、７・・吸収性パッド、８・・外周部、９・・コア、１０・・シール、１１・・セル、１２・・セル、１００・・形成ユニット、１０１・・第一のウェブ、１０２・・吸引ローラ、１０３・・載置ステーション、１０４・・第２のウェブ、１０５・・移送ローラ、１０６・・シールステーション、１０７・・接触ローラ、１０８・・ソノトロード、１０９・・第１の配置ステーション、１１２・・第２の配置ステーション、１１３・・配置ローラ、１１４・・ポケット、１１５・・接着剤ディスペンサ、２００・・機械。
【図１】
2016515459.tif 000003
【図２】
2016515459.tif 000004
【図３】
2016515459.tif 000005
【国際調査報告】
2016515459.tif 000006
2016515459.tif 000007
2016515459.tif 000008